(57)【要約】【課題】簡単に投光器の投光方向を調整することができる投光器の投光方向表示装置を提供する。【解決手段】投光器10の投光方向表示装置30は、投光器10に設けられる表示体31を備える。投光器10の投光方向に対して直交する表示体31の面に正面表示部32を設ける。投光器10の投光方向に沿った表示体31の側面に、正面表示部32とは異なる色の側面表示部33を設ける。【選択図】図１
2016177959.tif 000002
【特許請求の範囲】
【請求項１】
投光器に設けられる表示体と；
前記投光器の投光方向に対して直交する前記表示体の面に設けられた正面表示部と；
前記投光器の投光方向に沿った前記表示体の側面に設けられるとともに、前記正面表示部とは異なる色に設けられた側面表示部と；
を具備することを特徴とする投光器の投光方向表示装置。
【発明の詳細な説明】
【技術分野】
【０００１】
本発明の実施形態は、投光器の投光方向の調整に用いられる投光器の投光方向表示装置に関する。
【背景技術】
【０００２】
従来、競技場等に設置する投光器の投光方向を調整するエイミング作業では、夜間に投光器を点灯させて投光方向を確認しながら投光器の角度を調整している。この場合、夜間での高所作業となるため、困難を要し、好ましいものではない。
【０００３】
また、レーザー発振器を投光器の投光方向を調整したい目標地点に配置し、レーザー発振器から投光器に対してレーザー光を照射し、投光器に設けた反射鏡で反射するレーザー光の位置を確認しながら投光器の投光方向の角度を調整している。この場合、レーザー発振器を用いる必要があるとともに、レーザー発振器から照射するレーザー光を調整しようとする投光器の反射鏡に一致させなければならず、簡単に投光器の投光方向を調整することが難しかった。
【先行技術文献】
【特許文献】
【０００４】
【特許文献１】特開平５−２９６７４８号公報
【発明の概要】
【発明が解決しようとする課題】
【０００５】
本発明が解決しようとする課題は、簡単に投光器の投光方向を調整することができる投光器の投光方向表示装置を提供することである。
【課題を解決するための手段】
【０００６】
実施形態の投光器の投光方向表示装置は、投光器に設けられる表示体を備える。投光器の投光方向に対して直交する表示体の面に正面表示部を設ける。投光器の投光方向に沿った表示体の側面に、正面表示部とは異なる色の側面表示部を設ける。
【発明の効果】
【０００７】
本発明によれば、投光器の投光方向を調整したい目標地点から投光器の投光方向表示装置を確認するだけで、簡単に投光器の投光方向を調整可能となることが期待できる。
【図面の簡単な説明】
【０００８】
【図１】第１の実施形態を示す投光方向表示装置を取り付けた投光器の斜視図である。
【図２】同上投光方向表示装置の斜視図である。
【図３】同上投光器の投光方向を調整したい目標地点から投光器の投光方向表示装置を確認する説明図である。
【図４】同上投光器の投光方向が目標地点に一致する場合に確認される投光方向表示装置の説明図である。
【図５】同上投光器の投光方向が目標地点からずれている場合に確認される投光方向表示装置の説明図である。
【図６】第２の実施形態を示す投光方向表示装置を設けた投光器の斜視図である。
【図７】同上投光器の投光方向が目標地点に一致する場合に確認される投光方向表示装置の説明図である。
【図８】同上投光器の投光方向が目標地点からずれている場合に確認される投光方向表示装置の説明図である。
【発明を実施するための形態】
【０００９】
以下、第１の実施形態を、図１ないし図５を参照して説明する。
【００１０】
図１に投光器10を示す。投光器10は、例えば、競技場の屋根や競技場の周辺に立設されるポールの上端に設置され、競技場のグランド領域を照明する。
【００１１】
投光器10は、筐体11、この筐体11に配置された光源部12、筐体11を設置する設置台13、および光源部12に電源を供給する電源部14を備えている。
【００１２】
そして、筐体11は、四角形の箱状に形成され、四角形枠状の正面枠部16、およびこの正面枠部16の周囲に設けられた側面部17を備えている。筐体11の背面には光源部12に熱的に接続されている放熱器18が設けられている。正面枠部16は、光源部12を覆うガラス等の透光カバー19で覆われている。
【００１３】
また、光源部12は、例えばＬＥＤ等の複数の発光素子、およびこれら発光素子を実装した基板を備えている。さらに、光源部12は、複数の発光素子からの光を集光して投光するレンズや反射体等の光学部品を備えている。
【００１４】
また、設置台13は、略コ字状に形成されており、筐体11を支持するとともに、投光方向を目的の方向に向けて投光できるように調整可能となっている。
【００１５】
設置台13は、台座部21、およびこの台座部21の両端側から略直角方向に延出する脚部22を備えている。
【００１６】
台座部21は、構造物等に取付けられて投光器10を構造物等に固定設置する部分であり、この台座部21の略中央部には回転台部23が形成されている。回転台部23は、構造物等にボルト締めされて取り付けられる。この場合、筐体11を仰角方向と直交する左右方向に回動させて、投光方向を目的の方向に向けて調整可能となっている。
【００１７】
脚部22は、筐体11の両側を回動可能に支持しており、つまり、筐体11の仰角を変更可能に、投光方向を可変できるように支持している。この仰角の変更は、脚部22に設けられたハンドル24を締め付け、緩める操作を行うことにより可能となっている。
【００１８】
このように投光器10の投光方向の調整は、台座部21を構造物等に取付ける際に、回転台部23によって左右方向の調整を行うことができ、脚部22に設けられたハンドル24を操作することにより仰角方向の調整を行うことができる。
【００１９】
また、投光器10の投光方向の調整には、投光器10に設けられる投光方向表示装置30が用いられる。図１および図２に示すように、投光方向表示装置30は、投光器10とは別体に設けられたもので、四角形の箱状や角柱状等を含む立方体状または直方体状に形成された表示体31を備えている。
【００２０】
表示体31は、投光器10の投光方向に対して直交するように配置される表示体31の正面に設けられた正面表示部32、および投光器10の投光方向に沿って配置される表示体31の側面に設けられた側面表示部33を備えている。
【００２１】
表示体31は、正面表示部32、および正面表示部32の周囲に設けられた側面表示部33を備えている。投光方向表示装置30を投光器10に設置する際に、正面表示部32は投光器10の投光方向に対して直交するように配置され、側面表示部33は投光器10の投光方向に沿って配置される。
【００２２】
正面表示部32は正方形であり、側面表示部33は前後方向（投光方向）に沿って長い長方形であり、正面表示部32と各側面表示部33とはそれぞれ直角に設けられている。したがって、本実施形態の表示体31は、細長い角柱状に形成されている。
【００２３】
正面表示部32と側面表示部33とは視覚的に明確に区別可能な異なる色に設けられている。例えば、正面表示部32は白色に、側面表示部33は黒色、赤色、青色等のいずれかにそれぞれ設けられている。また、正面表示部32と４面の側面表示部33の全てを異なる色に設けてもよい。色を設けるには、塗料で塗装したり、カラーフィルムやカラーテープを貼り付ける方法がある。
【００２４】
投光方向表示装置30は、正面表示部32が投光器10の投光方向に対して直交するように、投光器10に設置される。図１に示す例では、投光方向表示装置30は、投光器10の正面の中心に設置されている。このように投光方向表示装置30を投光器10の正面の中心に設置するには、投光方向表示装置30を支持する設置具を用い、この設置具を投光器10の筐体11に取り付けるようにすればよい。なお、投光方向表示装置30は、投光器10の筐体11の上面等、筐体11に設置してもよい。
【００２５】
次に、投光器10の投光方向を調整するエイミング作業について説明する。
【００２６】
競技場のグラウンドで設計された配光分布を実現するため、各投光器10からの光がグラウンド上の目標地点に投光されるように、各投光器10の投光方向を調整する。この調整は、投光器10の設置時や、配光分布の変更時に行われるものであり、投光器10の投光方向をグラウンド上の目標地点に向けて調整し、さらに投光方向表示装置30を利用して各投光器10の投光方向を正確に調整する。
【００２７】
図３に示すように、調整を行う投光器10の投光方向に対応したグラウンド上の目標地点に観測者Ｍが行き、その目標地点から調整を行う投光器10に設置されている投光方向表示装置30を例えば双眼鏡等で確認する。
【００２８】
図４に示すように、投光方向表示装置30の正面表示部32の縁から側面表示部33が確認される場合には、投光器10の投光方向がグラウンド上の目標地点からずれていることが分かる。このとき、正面表示部32と側面表示部33とは視覚的に明確に区別可能な異なる色に設けられているため、正面表示部32の縁から出て見える側面表示部33を明確に確認することができる。
【００２９】
正面表示部32に対してどの方向に側面表示部33が見えるかによって投光器10の投光方向がグラウンド上の目標地点からずれている方向を把握することができ、また、正面表示部32に対する側面表示部33の見え具合からずれ量を把握することができる。これにより、投光器10の投光方向をグラウンド上の目標地点に一致するように修正する方向や量も把握することができる。
【００３０】
図５に示す例では、投光器10の投光方向はグラウンド上の目標地点に対して右下方向にずれており、投光器10の投光方向をグラウンド上の目標地点に一致するように修正するには投光器10の投光方向を左上方向に調整すればよいことがわかる。
【００３１】
そして、投光方向表示装置30を確認したグラウンド上の観測者Ｍから投光器10の設置場所にいる作業者に対して投光器10の投光方向を修正する方向や量を無線等で伝え、作業者が投光器10の投光方向を調整する作業を行う。
【００３２】
また、図３に示すように、投光器10の投光方向がグラウンド上の目標地点に一致すると、正面表示部32の全周の縁から側面表示部33が確認されなくなるため、投光器10の投光方向がグラウンド上の目標地点に正しく調整されたことが確認できる。
【００３３】
一致を確認したグラウンド上の観測者Ｍから投光器10の設置場所にいる作業者に対して一致したことを無線等で伝え、作業者が投光器10を固定する作業を行う。
【００３４】
このように、投光方向表示装置30によれば、投光器10の投光方向を調整したいグラウンド上の目標地点から投光器10の投光方向表示装置30を確認するだけで、簡単に投光器10の投光方向を調整することができる。
【００３５】
なお、図１に示すように投光方向表示装置30が投光器10の正面中央に配置している場合にはエイミング作業完了後に投光方向表示装置30を投光器10から取り外し、また、投光方向表示装置30を投光器10の筐体11等の投光に影響のない場所に設置している場合には投光器10に取り付けた状態のままとしてもよい。
【００３６】
次に、図６ないし図８に第２の実施形態を示す。なお、第１の実施形態と同じ構成については同じ符号を用い、その構成および作用効果についての説明を省略する。
【００３７】
投光器10に設けられる投光方向表示装置30は、投光器10の筐体11によって構成されている。すなわち、投光方向表示装置30の表示体31が筐体11であり、正面表示部32が筐体11の四角形枠状の正面枠部16であり、側面表示部33が筐体11の側面部17である。
【００３８】
この場合にも、正面表示部32と側面表示部33とは視覚的に明確に区別可能な異なる色に設けられており、例えば、正面表示部32は黒色に、側面表示部33は白色にそれぞれ設けられている。
【００３９】
そして、エイミング作業時に、調整を行う投光器10の投光方向に対応したグラウンド上の目標地点に観測者が行き、その目標地点から調整を行う投光器10の投光方向表示装置30を例えば双眼鏡等で確認する。
【００４０】
図８に示すように、投光方向表示装置30の正面表示部32の縁から側面表示部33が確認される場合には、投光器10の投光方向がグラウンド上の目標地点からずれていることが分かる。このとき、正面表示部32と側面表示部33とは視覚的に明確に区別可能な異なる色に設けられているため、正面表示部32の縁から出て見える側面表示部33を明確に確認することができる。
【００４１】
正面表示部32に対してどの方向に側面表示部33が見えるかによって投光器10の投光方向がグラウンド上の目標地点からずれている方向を把握することができ、また、正面表示部32に対する側面表示部33の見え具合からずれ量を把握することができる。これにより、投光器10の投光方向をグラウンド上の目標地点に一致するように修正する方向や量も把握することができる。
【００４２】
図８に示す例では、投光器10の投光方向はグラウンド上の目標地点に対して右下方向にずれており、投光器10の投光方向をグラウンド上の目標地点に一致するように修正するには投光器10の投光方向を左上方向に調整すればよいことがわかる。
【００４３】
そして、投光方向表示装置30を確認したグラウンド上の観測者から投光器10の設置場所にいる作業者に対して投光器10の投光方向を修正する方向や量を無線等で伝え、作業者が投光器10の投光方向を調整する作業を行う。
【００４４】
また、図７に示すように、投光器10の投光方向がグラウンド上の目標地点に一致すると、正面表示部32の全周の縁から側面表示部33が確認されなくなるため、投光器10の投光方向がグラウンド上の目標地点に正しく調整されたことが確認できる。
【００４５】
一致を確認したグラウンド上の観測者から投光器10の設置場所にいる作業者に対して一致したことを無線等で伝え、作業者が投光器10を固定する作業を行う。
【００４６】
このように、投光方向表示装置30によれば、投光器10の投光方向を調整したいグラウンド上の目標地点から投光器10の投光方向表示装置30を確認するだけで、簡単に投光器10の投光方向を調整することができる。
【００４７】
また、投光方向表示装置30は投光器10の筐体11を兼用できるため、エイミング作業のために特別なものは必要なく、構成を簡単にできる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
10    投光器
30    投光方向表示装置
31    表示体
32    正面表示部
33    側面表示部
【図１】
2016177959.tif 000003
【図２】
2016177959.tif 000004
【図３】
2016177959.tif 000005
【図４】
2016177959.tif 000006
【図５】
2016177959.tif 000007
【図６】
2016177959.tif 000008
【図７】
2016177959.tif 000009
【図８】
2016177959.tif 000010